(57)【要約】  汎用衝撃防止装置は、本体（１）と、本体（１）の内部の円筒状空孔の閉じた第１端部に配置されるガイド・ピン（４）と、ガイド・ピン（４）上のばね（７）と、空孔の逆側の端部のリング（５）と、Ｔ字状のヘッド部およびばね（７）が支持される内部の空孔を有するピストンであって、リング（５）まで移動可能であり、ガイド・ピン（４）がピストンの内部の空孔内にある、ピストンとを備える。Ｔ字状ヘッド部は、ピストンの内部の空孔内で溝および可動Ｏリング（６）を備え、Ｏリング（６）が溝内において２つの端部を有する。第１の端部の位置において、人工衝突部（３１）を有する溝の表面および接触するＯリング（６）は、第１の流れの吐出し量を決定する。第２の端部の位置において、本体の空孔と溝との間の開口部（２１）が、より大きい第２の流れの吐出し量を決定する。【選択図】図１
2009529641.tif 000002
【特許請求の範囲】
【請求項１】
本体（１）と、
前記本体（１）の内部の円筒状空孔の閉じた第１の端部に配置されるガイド・ピン（４）と、
前記ガイド・ピン（４）上のうず巻ばね（７）と、
前記本体（１）の前記内部の円筒状空孔の逆側の第２の端部のリング（５）と、
断面がＴ字状のヘッド部および前記ばね（７）が支持される内部の空孔を有するピストンであって、前記本体（１）の前記内部の円筒状空孔の中で前記リング（５）まで移動可能であり、前記ガイド・ピン（４）が前記ピストンの前記内部の空孔内にあるピストンと、を備え、
前記ピストンの前記Ｔ字状ヘッド部は、前記ピストンの前記内部の空孔内で溝および可動Ｏリング（６）を備え、
前記Ｏリング（６）が、前記溝の横方向の２つの端部を有し、
前記第１の端部の位置において、人工衝突部（３１）を有する前記溝の表面および接触する前記Ｏリング（６）は、第１の流れの吐出し量を決定し、
前記第２の端部の位置において、前記本体（１）の前記内部の円筒状空孔と前記溝との間の開口部（２１）が、前記第１の流れの吐出し量よりも大きい第２の流れの吐出し量を決定する、ことを特徴とする汎用衝撃防止装置。
【請求項２】
前記内部の円筒状空孔の前記ピストンは、第１のピストン（２）および第２のピストン（３）の２つの互いに嵌合し合う同心円状の部材からなり、
前記ピストンの前記溝は、第１および第２のピストン（２、３）の縁部の間に形成される、ことを特徴とする請求項１に記載の装置。
【請求項３】
前記本体（１）は、接着またはねじ止めによって、家具表面に固定するための平坦な支持フランジを備える、ことを特徴とする請求項１に記載の装置。
【発明の詳細な説明】
【技術分野】
【０００１】
本発明は、力が加えられた（ｆｏｒｃｅｄ）ヒンジまたはパーラメントヒンジ、重さにより閉まる（ｗｅｉｇｈｔ−ｃｌｏｓｉｎｇ）ドア、引き出し、あるいは任意の同様な開閉式部材を備える家具を主に使用するための汎用衝撃防止装置（いわゆる「衝撃ダンパ（ｈｉｔ−ｄａｍｐｅｒ）」）に関する。
より詳細には、本衝撃防止装置は、本体と、本体の内部の円筒状空孔の閉じた第１の端部に配置されるガイド・ピンと、ガイド・ピン上のうず巻ばねと、本体の内部の円筒状空孔の逆側の第２の端部のリングと、断面がＴ字状のヘッド部およびばねが支持される内部の空孔を有するピストンであって、本体の内部の円筒状空孔の中でリングまで移動可能であり、ガイド・ピンがピストンの内部の空孔内にある、ピストンとを備える。
【背景技術】
【０００２】
多く公知の、気体または液体が詰められた物の衝撃吸収装置およびダンパが存在する。これらの装置は、いくつかの摩耗部品を含む。摩耗を防止するために、力に依存した流動によって生じる非対称性による解決法を使用することができる。
例えば本発明と同じ発明者から発明を開示している特許文献１（ハンガリ国特許出願Ｐ０１０４１４４に基づく）から、そのような解決法は公知である。
【特許文献１】米国特許第７，１７５，１５４号明細書
【発明の開示】
【発明が解決しようとする課題】
【０００３】
本発明の目的は、公知の不利益を回避しつつ、特許文献１のピストン構造に衝撃防止装置を適合させることにある。
【課題を解決するための手段】
【０００４】
本明細書の冒頭の段落に開示された本発明によれば、ピストンのＴ字状ヘッド部は、ピストンの内部の空孔内で溝および可動Ｏリングを備え、Ｏリングが溝の横方向の２つの端部を有する。
第１の端部の位置において、人工衝突部を有する溝の表面および接触するＯリングは、第１の流れの吐出し量を決定する。
第２の端部の位置において、本体の内部の円筒状空孔と溝との間の開口部が、第１の流れの吐出し量よりも大きい第２の流れの吐出し量を決定する。
【０００５】
本装置は、特に、付勢されたばねまたはパーラメントヒンジの力によってドアが閉められる場合、ドアが閉まるときの動きを制動することによって、ドアへの衝撃を防止、減衰する。ならびに、本装置は、予め設定した緩慢な速度で円滑にて、ドアを閉めておく。
ドアがゆっくりと閉まる場合（例えば手動で）、本装置は留め具による抵抗をもたらさず、ドアは反力を被ることなく閉まることが可能である。
【０００６】
更なる記載において、図面を参照して本発明を詳細に記載する。
【発明を実施するための最良の形態】
【０００７】
図１は、本発明による衝撃防止装置の例示的実施態様の構造を示す。
本体１において、ガイド・ピン４、ガイド・ピン上のうず巻ばね７、および本体１の内部の円筒状空孔の中で移動可能なピストンの組合せが存在する。
このピストンの組合せは、内側の第１のピストン２および外側の第２のピストン３の２つの部品からなる。
第１のピストン２および第２のピストン３は互いにしっかりと適合されており、それにより一体的な部品を構成する。
あるいは、単一の部品で製造し、Ｔ字状ヘッド部とすることも可能であるが、技術的観点により、２つの部品がより有利である。
図１に示す状態において、外側の第２のピストン３は、本体１の開放端のリング６によって、止められる（制限される）。
このとき、第２のピストン３の末端部は本体１から完全に突出する。
【０００８】
図２に示す状態において、ピストンの組合せ全体は本体１の内部空孔に押し込まれている。
【０００９】
図３の拡大部分図は、ピストンの組合せの内側端部のＴ字状の断面および本体１の内壁の接触部分を示す。
Ｏリング６は、第１のピストン２および第２のピストン３によって構成される二重のピストン構造の長方形断面の周囲の溝内において、それらのピストンの周縁部のそばに、可動に配置される。
２つの別個の位置（すなわち、図１および図２に個々に示す位置）において、ピストンは、充填（気体）媒体のために該ピストンを介して２つの異なる流量を提供することができる（特許文献１において公知である）。
ピストンによるこの流れは、人工衝突部３１および開口部２１によって生じ、例えば気体などの充填媒体がピストンの両側にあって交互に流量が変化する空洞間において、流量の調整を確保する。
人工衝突部３１は、第２のピストン３の表面に形成されており、封止部材と軸受接触する。
この軸受接触が働く場合、時間単位当り、流体媒体（例えば気体）の所定の量が人工衝突部３１を介して流れることができ、この場合、人工衝突部３１は、溝、凹部、Ｖ字型の切り込み（ｎｏｔｃｈ）、流路、エッチング加工部分、粗面化部分など、あるいは流体媒体の流れを確保するために上述の組合せて設けてもよい。
図３に示す封止部材の一方の位置によれば、開口、すなわち開口部２１は第１のピストン２のＴ字型ヘッド部の縁部に用意され、この場合、気体または他の流体媒体に関しては、人工衝突部３１よりも高い、典型的にはかなり高い伝達能力を提供する。
このことから、本体１の内部の円筒状空孔空間のピストンの組合せの動きは、２つの可能な可動方向を想定する速度において異なると断定することができる。
この特徴は、減衰、すなわち、本発明の衝撃防止装置の重要な本質としての、衝撃吸収機能を提供する。
【００１０】
本体１の一部、例えば図２または図３の下側は、接着またはねじ止めによって家具表面に固定するための平坦な支持フランジとして形成可能である。
接着は、平坦な支持フランジ上の接着ストリップによって実行可能である。
これはほとんどの場合において充分に固定することを確実にするが、フランジの付加的な穴によるねじ止めも必要であれば可能である。
装置が家具上の段のある部分に取り付けられることになる場合、後方の支持部材は本体１の外側の閉じた端部に取付け可能である。
この後方の支持部は、例えば拘束機構によって、支持フランジに対して様々な高さ位置で調節可能である。
この後方の支持部の支持板は、接着材によってまた、覆うことができる。
このように、２つの異なる固定平面が、装置の接着による取付けに使用可能である。
【００１１】
本発明の汎用衝撃防止装置の用途および作業を、収納戸棚のドアの用途のための実施形態に記載する。
【００１２】
本発明による衝撃防止装置は、家具の壁の内側表面、例えば上部壁、ドア付近に取り付けられ、ドアが閉じている場合には、そのドアによってピストンロッド内に完全に押し込まれる。
このため、本体１の平坦な支持フランジ上の接着ストリップが使用可能であるか、または、装置は家具壁にねじ止め可能である。
接着ストリップが多くの場合において十分であることに留意する必要がある。
これにより、家具のドア、窓、引き出しの前部プレート、または他の任意の可動で機能する部材にも、それらの部材を変質させることなく、容易に適応させることができる。
【００１３】
ドアを開ける場合、ガイド・ピン４に導かれる圧縮ばね７に蓄えられる力は、ピストンがリング５に当るまで第１のピストン２および第２のピストン３（きつく各々に嵌合している）によって形成されるピストンを推進する。
この位置を開位置と呼ぶ。
ばねは、ピストンの開いた状態への戻りを提供する他の機構と交換可能である。
その後、第１のピストン２に力で接触させられたＯリング６は、本体１の円筒状空孔の内部表面と第１のピストン２との間の流れを遮断し、それにより生じた真空がピストンの外側への移動を防ぐ。
開口部２１は第１のピストン２に組み込まれているので、それによって、気体は本体１の空孔の後方の空洞へ流入することができる。
第１のピストン２のこの開口部２１のサイズ、または換言すれば第２の流れの吐出し量はピストンの前進の速度を決定する。
【００１４】
ドアが開いている場合、装置は待機中のモードにおいて開口状態である。
【００１５】
ドアが急に閉められる場合、
ドアの正面部はその開口状態において突出しているピストンの前端に当り、力、すなわち慣性モーメントがその突出しているピストンを内に押し入れる。
ピストンのこの前端は、丸みを帯びていてもよく、衝撃を吸収するために、柔らかい材料でできていてもよい。
素早い内側への移動のため、Ｏリング６は第２のピストン３の壁表面に当り、本体１の内壁と、人工衝突部３１を有する第２のピストン３との間の気体の流れを止める。
上記移動の結果として、気体は、本体１の閉じられた内部の空孔において圧縮され、ピストンの移動を制動し人工衝突部３１にＯリング６を押圧する抵抗（空気ばね）を構成し、人口衝突部の流路を少なく部分的に閉じることによって、気体の流れの一部を閉じさせる。
第２のピストン３上の内側への力がより大きいほど、制動に対する反作用は、より大きい。
このようにして、反力は、ドアの動作をより遅くさせる。
ドアの速度が所与の値以下となる場合、その慣性エネルギ、すなわちピストンの力が減少する場合、本体１の圧力はより低くなり、より小さい力でも第２のピストン３の壁にＯリング６を押圧する。
高い過圧力を取り除くＯリング６は、その最初の形を回復するので、第２のピストン３の表面の人工衝突部３１表面を満たさず、したがって、本体１の後方の空洞からの気体移動を遮断せず、これにより、ピストンが本体１の空孔に戻ることを可能にする。
第２のピストン３の溝側面上の人工衝突部３１のサイズまたは寸法、すなわち人工衝突部３１を介した気体移動の度合いは、閉められるドアの速度を決定する。
【００１６】
ドアが遅い速度で閉まる場合には、ピストンの速度は、人工衝突部３１を介して時間単位当りの対応する気体の量を上回らない。
したがって、Ｏリング６は押圧せず、人工衝突部３１によって形成された流路を閉じない。
開いた開口部２１は、本体１の空洞から気体を外へ導くことができる。
ドアは、反力を減じることなく、実質的に閉じることができる。
【００１７】
本発明による解決法は、減衰した反力が、減衰され最初の、閉じる場合の力と比例しているという利点を有する。
更なる利点は、本発明によるピストンの人工衝突部への、Ｏリングまたは他の弾性の封止手段の侵入が、従来技術におけるドアのダンパ、ドアブレーキなどとは対照的に、摩耗を伴わないので、本装置の寿命は著しく長くなることが可能なことである。
特定の利点として、自動接着ストリップ、または、時に、ねじ用の穴が、使用中の家具に対して、または個々のドアなどを取り付けた後のいかなる時点でも、本装置の可能な用途を提供する。
【図面の簡単な説明】
【００１８】
【図１】本発明の開いた状態の装置を示す断面図である。
【図２】本発明の閉じた状態の装置を示す断面図である。
【図３】対応するドアが開いた場合の図１および図２による装置のピストンの一部を示す図である。
【図４】対応するドアを素早く閉めた場合の図１および図２による装置のピストンの一部を示す図である。
【図１】
2009529641.tif 000003
【図２】
2009529641.tif 000004
【図３】
2009529641.tif 000005
【図４】
2009529641.tif 000006
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
本体（１）と、
前記本体（１）の内部の円筒状空孔の閉じた第１の端部に配置されるガイド・ピン（４）と、
前記ガイド・ピン（４）上のうず巻ばね（７）と、
前記本体（１）の前記内部の円筒状空孔の逆側の第２の端部のリング（５）と、
断面がＴ字状のヘッド部および前記ばね（７）が支持される内部の空孔を有するピストンであって、前記本体（１）の前記内部の円筒状空孔の中で前記リング（５）まで移動可能であり、前記ガイド・ピン（４）が前記ピストンの前記内部の空孔内にあるピストンと、を備え、
前記ピストンの前記Ｔ字状ヘッド部は、前記ピストンの前記内部の空孔内で溝および可動Ｏリング（６）を備え、
前記Ｏリング（６）が、前記溝の横方向の２つの端部を有し、
前記第１の端部の位置において、人工衝突部（３１）を有する前記溝の表面および接触する前記Ｏリング（６）は、第１の流れの吐出し量を決定し、
前記人工衝突部（３１）に前記Ｏリング（６）を押圧し、部分的に人工衝突部（３１）の流路を閉じて、吐出し量による前記第１の流れを低下させ、
前記第２の端部の位置において、前記本体（１）の前記内部の円筒状空孔と前記溝との間の開口部（２１）が、前記第１の流れの吐出し量よりも大きい第２の流れの吐出し量を決定する、ことを特徴とする汎用衝撃防止装置。
【請求項２】
前記内部の円筒状空孔の前記ピストンは、第１のピストン（２）および第２のピストン（３）の２つの互いに嵌合し合う同心円状の部材からなり、
前記ピストンの前記溝は、第１および第２のピストン（２、３）の縁部の間に形成される、ことを特徴とする請求項１に記載の装置。
【請求項３】
前記本体（１）は、接着またはねじ止めによって、家具表面に固定するための平坦な支持フランジを備える、ことを特徴とする請求項１に記載の装置。
【国際調査報告】
2009529641.tif 000007